(57)【要約】【課題】好適な画像解析が可能な画像解析装置を提供する。【解決手段】画像が入力される入力部と、入力部に入力された画像に基づいてコメントを生成するコメント生成部と、入力部に入力された画像が記憶されている場所に対応するアドレスを記憶する記憶部と、コメント生成部が生成したコメント、及び、記憶部に記憶されたアドレスを出力する出力部と、出力部を制御する制御部とを含むことを特徴とする画像解析装置。【選択図】図１
2013164650.tif 000002
【特許請求の範囲】
【請求項１】
画像が入力される入力部と、
前記入力部に入力された前記画像に基づいてコメントを生成するコメント生成部と、
前記入力部に入力された前記画像が記憶されている場所に対応するアドレスを記憶する記憶部と、
前記コメント生成部が生成した前記コメント、及び、前記記憶部に記憶された前記アドレスを出力する出力部と、
前記出力部を制御する制御部と
を含むことを特徴とする画像解析装置。
【請求項２】
請求項１に記載された画像解析装置であって、
前記入力部に入力された前記画像を記憶する画像記憶部を有し、
前記記憶部は、前記画像記憶部の場所に対応する前記アドレスを記憶し、
前記制御部は、ネットワークを介して複数のユーザに情報を配信可能なサーバに、前記コメント及び前記アドレスを出力するように前記出力部を制御する
ことを特徴とする画像解析装置。
【請求項３】
請求項１に記載された画像解析装置であって、
前記入力部に入力された前記画像を記憶する画像記憶部を有し、
前記制御部は、予め定められたユーザに、前記コメント及び前記アドレスを出力するように前記出力部を制御する
ことを特徴とする画像解析装置。
【請求項４】
請求項１に記載された画像解析装置であって、
前記制御部は、ネットワークを介して前記入力部に接続された画像共有サーバに、前記入力部に入力された前記画像を記憶させるように制御し、
前記記憶部は、前記画像共有サーバの場所に対応する前記アドレスを記憶する
ことを特徴とする画像解析装置。
【請求項５】
請求項１から請求項４までのいずれか１項に記載された画像解析装置であって、
前記画像を撮像する撮像部を有し、
前記入力部には、前記撮像部により撮像された前記画像が入力される
ことを特徴とする画像解析装置。
【請求項６】
請求項１から請求項５までのいずれか１項に記載された画像解析装置であって、
前記出力部が前記コメントとともに出力した前記アドレスに対するアクセス状態を検出する検出部を有し、
前記制御部は、前記検出部が検出した前記アクセス状態に応じて、前記コメント生成部で生成される前記コメントが変化するように前記コメント生成部を制御する
ことを特徴とする画像解析装置。
【請求項７】
請求項１から請求項５までのいずれか１項に記載された画像解析装置であって、
前記出力部が前記コメントとともに出力した前記アドレスに対するアクセス状態を検出する検出部を有し、
前記コメント生成部は、複数のコメント候補の中から最も評価点の高いものを前記コメントとして出力し、
前記制御部は、前記検出部により前記アドレスに対するアクセスが検出された場合には、前記出力部が前記アドレスとともに出力した前記コメントの評価点を高くするように前記コメント生成部を制御する
ことを特徴とする画像解析装置。
【請求項８】
請求項１から請求項７までのいずれか１項に記載された画像解析装置であって、
前記入力部には、操作者が所定の操作を行った場合に、前記所定の操作及び前記画像が入力され、
前記制御部は、前記所定の操作に応じて、前記コメント生成部で生成される前記コメントが変化するように前記コメント生成部を制御する
ことを特徴とする画像解析装置。
【請求項９】
請求項１から請求項８までのいずれか１項に記載された画像解析装置であって、
前記入力部には、複数の画像が含まれるアルバムが入力され、
前記コメント生成部は、前記複数の画像が含まれるアルバムに基づいてコメントを生成する
ことを特徴とする画像解析装置。
【発明の詳細な説明】
【技術分野】
【０００１】
本発明は、画像解析装置に関する。
【背景技術】
【０００２】
特許文献１には、カメラのような撮像装置が、撮像した画像に対してコメントを付与して表示することが記載されている。
【先行技術文献】
【特許文献】
【０００３】
【特許文献１】特開２０１０−２０６２３９号公報
【発明の概要】
【発明が解決しようとする課題】
【０００４】
しかしながら、上述のような撮像装置により生成されたコメントはその撮像装置に表示されるのみであり、そのコメントは撮像装置を持っているユーザしか楽しむことはできなかった。そこで、このようなコメントを付与した画像を、他のユーザにも見せて共有することが望ましい。
【０００５】
本発明は、好適な画像解析が可能な画像解析装置を提供する。
【課題を解決するための手段】
【０００６】
上述した課題を解決するために、本発明は、画像が入力される入力部と、入力部に入力された画像に基づいてコメントを生成するコメント生成部と、入力部に入力された画像が記憶されている場所に対応するアドレスを記憶する記憶部と、コメント生成部が生成したコメント、及び、記憶部に記憶されたアドレスを出力する出力部と、出力部を制御する制御部とを含むことを特徴とする画像解析装置である。
【発明の効果】
【０００７】
以上説明したように、本発明によれば、好適な画像解析が可能な画像解析装置を提供することができる。
【図面の簡単な説明】
【０００８】
【図１】本発明の第１の実施形態による画像共有システムの構成例を示すブロック図である。
【図２】本発明の第１の実施形態による撮像装置に対して入力されるフリック操作の例を示す図である。
【図３】本発明の第１の実施形態によるコメント生成部が生成するコメントの例を示す図である。
【図４】本発明の第１の実施形態によるコメント生成部が予め記憶するコメント要素リストのデータ例を示す図である。
【図５】本発明の第１の実施形態による画像共有システムの動作例を示す図である。
【図６】本発明の第２の実施形態による画像共有システムの構成例を示すブロック図である。
【図７】本発明の第２の実施形態による画像共有システムの動作例を示す図である。
【図８】本発明の第３の実施形態による画像共有システムの構成例を示すブロック図である。
【図９】本発明の第３の実施形態による画像共有システムの動作例を示す図である。
【図１０】本発明の第４の実施形態による画像共有システムの構成例を示すブロック図である。
【図１１】本発明の第４の実施形態による画像共有システムの動作例を示す図である。
【発明を実施するための形態】
【０００９】
以下、本発明の一実施形態について、図面を参照して説明する。
＜第１の実施形態＞
図１は、本発明の第１の実施形態による画像共有システム１の構成を示すブロック図である。画像共有システム１は、テキスト配信サーバ１０と、ユーザ端末２０−１、ユーザ端末２０−２、ユーザ端末２０−３、・・・と、撮像装置３０と、画像解析装置４０とを備えている。ここで、ユーザ端末２０−１、ユーザ端末２０−２、ユーザ端末２０−３は同様の構成であるので、特に区別しない場合にはユーザ端末２０として説明する。
【００１０】
テキスト配信サーバ１０は、ネットワークを介して接続された複数のユーザ端末２０に情報を配信可能なサーバであり、複数のユーザ同士で情報を共有させ、ユーザ間のコミュニケーションを支援するＳＮＳ（social network service）サイトを提供するコンピュータ装置である。テキスト配信サーバ１０は、ユーザを識別するユーザＩＤ毎に、そのユーザの撮像装置３０またはユーザ端末２０から送信された文字情報であるテキストを対応付けて記憶する。本実施形態では、撮像装置３０のユーザＩＤがユーザＡであり、ユーザ端末２０−１のユーザＩＤがユーザＢであり、ユーザ端末２０−２のユーザＩＤがユーザＣであり、ユーザ端末２０−３のユーザＩＤがユーザＤであるとして説明する。
【００１１】
また、テキスト配信サーバ１０は、ユーザＩＤ毎に、そのユーザに対応付けられた他のユーザのユーザＩＤを記憶する。テキスト配信サーバ１０は、あるユーザのユーザ端末２０からテキスト配信要求を受信すると、そのユーザに対応付けられている他のユーザの撮像装置３０またはユーザ端末２０から送信されたテキストを配信する。ユーザは、自身のユーザＩＤと友人等のユーザＩＤとを対応付けてテキスト配信サーバ１０に記憶させておくことにより、対応付けられたユーザ同士で情報を共有することができる。
【００１２】
例えば、ユーザＡとユーザＢとが対応付けられている場合、撮像装置３０がユーザＡからの操作入力に応じて、画像解析装置４０を介してテキスト配信サーバ１０にテキストを送信する。テキスト配信サーバ１０は、画像解析装置４０から送信されたテキストを、ユーザＡに対応付けて自身の記憶領域に記憶させる。ユーザ端末２０−１がユーザＢからの操作入力に応じてテキスト配信サーバ１０にテキスト配信要求を送信すると、撮像装置３０からテキスト配信サーバ１０に送信され記憶されたユーザＡのテキストが、テキスト配信サーバ１０からユーザ端末２０−１に配信される。
【００１３】
また、テキスト配信サーバ１０は、ユーザ同士のコミュニケーションを支援するために、あるユーザのテキストに対して、他のユーザがテキストを付与する機能を有する。例えば、ユーザＢのユーザ端末２０−１にユーザＡのテキストが表示される際、ユーザ端末２０−１には、ユーザＡのテキストに対するテキストを入力するテキストボックスが表示される。ユーザＢがテキストボックスにテキストを入力し、入力されたテキストをユーザ端末２０−１がテキスト配信サーバ１０に送信すると、テキスト配信サーバ１０は、ユーザＡのテキストと、そのテキストに対してユーザ端末２０−１から送信されたユーザＢのテキストとを対応付けて記憶する。テキスト配信サーバ１０は、ユーザＡのユーザ端末２０に対して、自身のテキストに対して付与された他のユーザのテキストを配信することにより、ユーザ同士の会話、コミュニケーションを支援する。
【００１４】
また、テキスト配信サーバ１０は、ユーザ同士のコミュニケーションを支援するために、あるユーザのテキストを他のユーザが評価する機能を備えている。例えば、ユーザＢのユーザ端末２０−１にユーザＡのテキストが表示される際、そのテキストに対応付けられた評価ボタンが伴わせて表示される。例えば、ユーザＢが、ユーザＡのテキストを面白いと感じた場合、ユーザＢは評価ボタンを押下する。ユーザ端末２０−１に表示された評価ボタンが押下されると、ユーザＡのテキストに対してユーザＢを肯定的に評価したことを示す評価情報がテキスト配信サーバ１０に送信される。テキスト配信サーバ１０は、ユーザＡのテキストに対するユーザＢの評価情報を配信する。テキスト配信サーバ１０は、このようにユーザ同士のコミュニケーションを支援する。
【００１５】
ユーザ端末２０は、入力部、出力部、制御部、記憶部等を備えたコンピュータ端末である。ユーザ端末２０としては、例えばＰＣ（Personal computer）やタブレットＰＣ、携帯電話端末等が適用できる。ユーザ端末２０は、通信機能を備えており、テキスト配信サーバ１０や画像解析装置４０とネットワークを介して通信する。例えば、ユーザ端末２０は、情報を取得する接続先を識別するＵＲＬ（Uniform Resource Locator）に応じて、その接続先が示すテキスト配信サーバ１０や画像解析装置４０等のコンピュータ装置に情報取得要求を送信し、送信した情報取得要求に応じて送信される情報を受信する。
【００１６】
撮像装置３０は、画像を撮像するカメラを備えたコンピュータ装置である。撮像装置３０は、ユーザからの操作要求に応じて画像を生成し、生成した画像を自身の記憶領域に記憶させる。また、撮像装置３０は、通信機能を備えており、画像と自身のユーザＩＤとを、ネットワークを介して画像解析装置４０に送信する。また、撮像装置３０は、タッチパネル式の入力部を備え、フリック操作によって画像を画像解析装置４０に送信することができる。図２は、撮像装置３０に対して入力されるフリック操作の例を示す図である。撮像装置３０は、画像が上に対してフリックされたか、下に対してフリックされたか、右に対してフリックされたか、左に対してフリックされたか等のフリック方向を示す情報を、画像とともに画像解析装置４０に送信する。
【００１７】
画像解析装置４０は、入力された画像を解析して画像に対するコメントを生成するとともに、ユーザ端末２０からの要求に応じて画像を配信する画像共有サーバである。画像解析装置４０は、入力部４１と、コメント生成部４２と、画像記憶部４３と、画像登録部４４と、画像配信部４５と、出力部４６と、アドレス記憶部４７と、検出部４８と、制御部４９とを備えている。
入力部４１には、ユーザが所定の操作を行った場合に、所定の操作及び画像が入力される。例えば、上述のように、撮像装置３０にフリック操作が入力されると、そのフリック操作におけるフリック方向を示す情報と、フリックされた画像とが撮像装置３０から送信され、入力される。これにより、撮像装置３０によって撮像された画像が入力される。また、入力部４１は、複数の画像が含まれるアルバムの入力を受け付ける。アルバムとは、複数の画像群である。
【００１８】
コメント生成部４２は、入力部４１に入力された画像に基づいてコメントを生成する。図３は、コメント生成部４２が生成するコメントの例を示す図である。コメント生成部４２は、（ａ）に示すようなコメントの定型文を予め自身の記憶領域に記憶している。ここでは、コメント生成部４２は、「場所」の「シーン」は「感情」との定型文を予め記憶し、「場所」、「シーン」、「感情」の箇所に、予め自身の記憶領域に記憶したコメント要素のリストから選択したコメント要素を付与することにより、（ｂ）〜（ｄ）に示すようなコメントを生成する。
【００１９】
図４は、コメント生成部４２が予め記憶するコメント要素リストのデータ例を示す図である。（ａ）は「場所」のコメント要素のデータ例であり、（ｂ）は「シーン」のコメント要素のデータ例であり、（ｃ）は「感情」のコメント要素のデータ例である。「場所」は、例えば画像に付与されたＥｘｉｆ（Exchangeable Image File Format）データに含まれる撮影位置情報に基づいて判定できる。それぞれのコメント要素には評価点が対応付けられており、コメント生成部４２は予め定められた複数のコメント要素毎に対応付けられた評価点に基づいて画像に対応するコメントを選択する。例えば、撮影位置情報が近い複数の場所が存在する場合には、撮影位置情報と場所との距離に評価点を重みとして算出した値を比較して、選択するコメント要素を決定する。
【００２０】
「シーン」は、例えば画像に含まれるオブジェクトや色等を解析することにより判定できる。「感情」については、コメント生成部４２は、例えば画像に含まれるオブジェクトや色等に基づいて、その画像が「愉快」なものであるか、「悲しい」ものであるか等のラベルを判定する。そして、ラベルに対応するコメント要素から、コメント要素を選択する。また、コメント生成部４２は、このようなラベルを、画像が入力部４１に入力された際のフリック操作のフリック方向に基づいて判定してもよい。例えば、フリック方向が「上」であればラベルを「愉快」と判定し、フリック方向が「下」であればラベルを「悲しい」と判定することができる。あるいは、例えばフリック方向における上下左右の４方向に、例えば「友達」「風景」「家族」「旅行」等のラベルや、「結婚式」「運動会」「入学式」「卒業式」等のラベルを割り当てることもできる。コメント生成部４２は、このように判定したラベルに基づいてコメントを生成する。また、コメント生成部４２が記憶するコメント要素のリストは、例えばコメントの公開範囲に応じた異なるリストを予め記憶しておくこともできる。このように、コメント生成部４２は、複数のコメント候補の中から最も評価点の高いものを前記コメントとして出力する。
【００２１】
また、コメント生成部４２は、入力部４１に、複数の画像が含まれるアルバムが入力された場合、そのアルバムに基づいてコメントを生成し、アルバムに対してコメントを付与する。この場合、コメント生成部４２は、アルバムに含まれる複数の画像から代表画像を選択し、その代表画像に対して上述したようなリストからコメント要素を選択してコメントを生成する。代表画像の選択方法としては、例えば、そのアルバムに含まれる画像の撮影日付、データ容量等に基づいて代表画像を選択することや、複数の画像のそれぞれに基づいてコメントを生成し、生成したコメントのうち評価点が最も高いコメントが付与された画像を選択すること等が考えられる。
【００２２】
画像記憶部４３には、入力部４１に入力された画像が画像登録部４４によって記憶される。
画像登録部４４は、入力部４１に入力された画像を、画像記憶部４３に記憶させる。
画像配信部４５は、ウェブサーバの機能を備えており、ネットワークを介してユーザ端末２０から送信される画像配信要求を受信し、受信した画像配信要求に対応する画像を画像記憶部４３から読み出し、読み出した画像を、画像配信要求を送信したユーザ端末２０に配信する。画像配信部４５が受信する画像配信要求には、画像を識別するＵＲＬが含まれており、画像配信部４５はそのＵＲＬに対応する画像を画像記憶部４３から読み出して配信する。画像配信部４５は、画像配信要求に応じて画像を配信した回数を、その画像に対するアクセス状態を示す情報として自身の記憶領域に記憶する。また、画像配信部４５は、検出部４８からの問合せに応じて、画像に対するアクセス回数を示す情報を応答する。
【００２３】
出力部４６は、コメント生成部４２が生成したコメントと、アドレス記憶部４７に記憶されたアドレスとを出力する。アドレスは、ネットワークを介して画像記憶部４３に記憶された画像を取得するためのＵＲＬである。具体的には、出力部４６は、アドレス記憶部４７に記憶されているアドレスを読み出し、コメント生成部４２が生成したコメントと、アドレス記憶部４７から読み出したアドレスとが含まれるテキストを生成して出力する。ここでは、出力部４６は、画像を入力した撮像装置３０のユーザＩＤとともにテキストをテキスト配信サーバ１０に送信する。また、出力部４６は、画像記憶部４３に記憶された画像に、コメント生成部４２が生成したコメントを重畳した画像を生成し、画像記憶部４３に記憶させることもできる。
【００２４】
アドレス記憶部４７は、入力部４１に入力された画像が記憶されている場所に対応するアドレスを記憶する。アドレスは、例えば、ネットワークを介して画像記憶部４３に記憶されている画像を取得するための接続先を示すＵＲＬである。本実施形態では、アドレス記憶部４７には、画像記憶部４３の場所を示すアドレスが記憶される。
【００２５】
検出部４８は、出力部４６がコメントとともに出力したアドレスに対するアクセス状態を検出する。アクセス状態とは、例えば、出力部４６がコメントとともに出力したアドレスが示す画像に対する、他のユーザ端末２０からのアクセス回数やコメント、評価等である。ここで、コメント生成部４２によって生成されたコメントは、対応する画像のＵＲＬとともにテキスト配信サーバ１０によってユーザ端末２０に配信される。このようなコメントに対して、上述したようなＳＮＳの機能により、ユーザ端末２０から新たなコメントが付与されたり、肯定的な評価を示す情報が付与されたりする場合がある。検出部４８は、このようなＳＮＳにおけるコメントに対するアクセス状態を、テキスト配信サーバ１０から取得する。検出部４８は、このようなアクセス状態に応じて、コメント生成部４２に記憶されているコメント要素リストに対応付けられている評価点を変動させる。これにより、コメント生成部４２は、より適切なコメントを生成することができる。例えば、検出部４８は、画像記憶部４３に記憶された画像に対するアクセスが多い場合に、その画像に付与したコメントに含まれるコメント要素の評価点を高くして、コメント生成部４２に記憶されているコメント要素リストのデータを更新させる。画像記憶部４３に記憶された画像に対するアクセス回数は、画像配信部４５に問い合わせることによって取得できる。あるいは、検出部４８は、他のユーザ端末２０からその画像に対して付与されたコメントを形態素解析し、抽出した要素をコメント要素のリストに加えて記憶させることもできる。
【００２６】
制御部４９は、画像解析装置４０が備える各部を制御する。例えば、制御部４９は、テキスト配信サーバ１０に、コメント生成部４２が生成したコメントとアドレス記憶部４７に記憶されたアドレスとを出力するように出力部４６を制御する。また、制御部４９は、検出部４８が検出したアクセス状態に応じて、コメント生成部４２で生成されるコメントが変化するようにコメント生成部４２を制御する。例えば、検出部４８により、画像記憶部４３を示すアドレスに対するアクセスが検出された場合には、出力部４６が画像記憶部４３を示すアドレスとともに出力したコメントの評価点を高くするようにコメント生成部４２を制御する。また、制御部４９は、入力部４１に入力された所定の操作（例えば、フリック方向）に応じて、コメント生成部４２によって生成されるコメントが変化するようにコメント生成部４２を制御する。
【００２７】
次に、図面を参照して、本実施形態による画像共有システム１の動作例を説明する。図５は、本実施形態による画像共有システム１の動作例を示す図である。
撮像装置３０によって画像が撮像され（ステップＳ１）、画像の送信要求が入力されると（ステップＳ２）、撮像装置３０は、撮像した画像を画像解析装置４０に送信する（ステップＳ３）。画像解析装置４０の入力部４１が、撮像装置３０から送信された画像を受信すると、画像登録部４４は、入力部４１によって受信された画像を画像記憶部４３に記憶させる（ステップＳ４）。コメント生成部４２は、入力部４１が受信した画像を解析して、その画像に対するコメントを生成する（ステップＳ５）。画像解析装置４０の出力部４６は、コメント生成部４２によって生成されたコメントと、画像記憶部４３に記憶された画像を取得するためのＵＲＬとが含まれるテキストを生成し、生成したテキストをテキスト配信サーバ１０に送信する（ステップＳ６）。
【００２８】
テキスト配信サーバ１０は、画像解析装置４０から送信されたテキストを受信すると、受信したテキストを、ユーザＡに対応付けて自身の記憶領域に記憶させる。テキスト配信サーバ１０は、撮像装置３０のユーザＡに対応付けられたユーザＢのユーザ端末２０−１から、テキスト配信要求を受信すると、ユーザＡに対応付けられたテキストをユーザ端末２０−１に配信する（ステップＳ７）。ユーザ端末２０−１は、テキスト配信サーバ１０から送信されたテキストを受信すると、受信したテキストを自身のディスプレイに表示させる。ユーザＢは、ユーザ端末２０−１に表示されたコメントをみて興味を抱くと、テキストに含まれる画像のＵＲＬを押下する。ユーザ端末２０−１に、画像のＵＲＬが押下された操作情報が入力されると、ユーザ端末２０−１は、そのＵＲＬを接続先とした画像配信要求を画像解析装置４０に送信する（ステップＳ８）。
【００２９】
画像解析装置４０の画像配信部４５は、ユーザ端末２０−１から送信された画像要求を受信すると、受信した画像要求に応じて、ステップＳ４において画像記憶部４３に記憶した画像を、ユーザ端末２０−１に配信する（ステップＳ９）。コメント生成部４２は、画像配信部４５が受信した画像配信要求に付与したコメントに含まれるコメント要素の評価点に定められた点数を加点して、コメント候補リストを更新する。
【００３０】
このように、本実施形態によれば、撮像装置３０が、撮像した画像にコメントをつけずに画像解析装置４０に送信させることのみによって、画像にコメントが付与され、コメントと画像のＵＲＬとがテキスト配信サーバ１０に送信され、ユーザ端末２０に配信される。これにより、ユーザＡは簡単に効率良く、コメント付きの画像をテキスト配信サーバ１０に送信することができ、他のユーザと画像を共有することができる。
【００３１】
なお、本実施形態では、撮像装置３０が通信機能を備え、画像解析装置４０に対して画像を送信する例を説明したが、例えば撮像装置３０をＰＣやタブレットＰＣ等に接続し、ＰＣ等が撮像装置３０から画像を読み込んで画像解析装置４０に送信するようにしても良い。あるいは、撮像装置３０に挿入された可搬記憶媒体をＰＣ等に読み込ませ、ＰＣ等が読み込んだ画像を画像解析装置４０に送信するようにしても良い。
【００３２】
＜第２の実施形態＞
次に、本発明の第２の実施形態について説明する。第１の実施形態では、撮像装置３０によって撮像された画像の保存先である画像記憶部４３を、画像解析装置４０が備える例を示したが、撮像装置３０によって撮像された画像は、画像解析装置４０とは異なるコンピュータ装置に記憶させることができる。図６は、このような画像共有システム２の構成を示すブロック図である。画像共有システム２は、テキスト配信サーバ１０と、ユーザ端末２０と、撮像装置３０と、画像解析装置１４０と、画像共有サーバ５０とを備えている。第１の実施形態と同名の装置については、第１の実施形態と同様である。
【００３３】
画像解析装置１４０は、入力部１４１と、コメント生成部１４２と、画像登録部１４４と、出力部１４６と、アドレス記憶部１４７と、検出部１４８と、制御部１４９とを備えている。本実施形態における画像解析装置１４０には、例えば通信機能を備えたＰＣや携帯電話端末等を適用することができる。第１の実施形態と同名の機能部については、第１の実施形態と同様である。ここでは、画像登録部１４４は、入力部１４１に入力された画像を、ネットワークを介して接続された画像共有サーバ５０に送信する。アドレス記憶部１４７は、画像配信サーバ５０の場所に対応するアドレスを記憶する。制御部１４９は、ネットワークを介して接続された画像共有サーバ５０に、入力部４１に入力された画像を記憶させるように画像登録部１４４を制御する。
画像共有サーバ５０は、第１の実施形態における画像記憶部４３および画像配信部４５と同様の機能を備えるコンピュータ装置である。
【００３４】
図７は、本実施形態の画像共有システム２の動作例を示す図である。
撮像装置３０によって画像が撮像され（ステップＳ２０）、画像の送信要求が入力されると（ステップＳ２１）、撮像装置３０は、撮像した画像を画像解析装置１４０に送信する（ステップＳ２２）。画像解析装置１４０の入力部１４１が、撮像装置３０から送信された画像を受信すると、画像登録部１４４は、入力部１４１によって受信された画像を、画像共有サーバ５０に送信する（ステップＳ２３）。画像共有サーバ５０は、画像解析装置１４０から送信された画像を受信すると、自身の記憶領域に記憶させる（ステップＳ２４）。コメント生成部１４２は、入力部１４１が受信した画像を解析して、その画像に対するコメントを生成する（ステップＳ２５）。画像解析装置１４０の出力部１４６は、コメント生成部１４２によって生成されたコメントと、画像共有サーバ５０に記憶された画像の取得するためのＵＲＬとが含まれるテキストを生成し、生成したテキストをテキスト配信サーバ１０に送信する（ステップＳ２７）。
【００３５】
テキスト配信サーバ１０は、画像解析装置４０から送信されたテキストを受信すると、受信したテキストを、ユーザＡに対応付けて自身の記憶領域に記憶させる。テキスト配信サーバ１０は、撮像装置３０のユーザＡに対応付けられたユーザＢのユーザ端末２０−１から、テキスト配信要求を受信すると、ユーザＡに対応付けられたテキストをユーザ端末２０−１に配信する（ステップＳ２７）。ユーザ端末２０−１は、テキスト配信サーバ１０から送信されたテキストを受信すると、受信したテキストを自身のディスプレイに表示させる。ユーザ端末２０−１に、画像のＵＲＬが押下された操作情報が入力されると、ユーザ端末２０−１は、そのＵＲＬを接続先とした画像配信要求を画像共有サーバ５０に送信する（ステップＳ２８）。画像共有サーバ５０は、ユーザ端末２０−１から送信された画像要求を受信すると、受信した画像要求に応じて、ステップＳ２４において記憶した画像を、ユーザ端末２０−１に配信する（ステップＳ２９）。
【００３６】
＜第３の実施形態＞
次に、本発明の第３の実施形態について説明する。本実施形態では、画像の撮像を行う撮像装置自体が画像解析装置４０の機能を備える例を説明する。図８は、このような画像共有システム３の構成を示すブロック図である。画像共有システム３は、テキスト配信サーバ１０と、ユーザ端末２０と、画像解析装置２４０と、画像共有サーバ５０とを備えている。第２の実施形態と同名の装置については、第２の実施形態と同様である。
【００３７】
画像解析装置２４０は、入力部２４１と、コメント生成部２４２と、画像登録部２４４と、出力部２４６と、アドレス記憶部２４７と、検出部２４８と、制御部２４９と、撮像部２５０とを備えている。第２の実施形態と同名の機能部については、第２の実施形態と同様である。撮像部２５０は、第１の実施形態における撮像装置３０と同様の機能であり、ユーザからの操作要求に応じて画像を撮像し、入力部２４１に入力する。入力部２４１には、撮像部２５０により撮像された画像が入力される。
【００３８】
図９は、本実施形態の画像共有システム２の動作例を示す図である。
画像解析装置２４０の撮像部２５０によって画像が撮像され（ステップＳ４０）、画像の送信要求が入力されると（ステップＳ４１）、画像解析装置２４０は、撮像した画像を画像共有サーバ５０に送信する（ステップＳ４２）。画像共有サーバ５０は、画像解析装置２４０から送信された画像を受信すると、自身の記憶領域に記憶させる（ステップＳ４３）。コメント生成部２４２は、撮像部２５０が撮像した画像を解析して、その画像に対するコメントを生成する（ステップＳ４４）。画像解析装置２４０の出力部２４６は、コメント生成部２４２によって生成されたコメントと、画像共有サーバ５０に記憶された画像の取得するためのＵＲＬとが含まれるテキストを生成し、生成したテキストをテキスト配信サーバ１０に送信する（ステップＳ４５）。以下、ステップＳ４６からステップＳ４８までの処理は、第２の実施形態におけるステップＳ２７からステップＳ２９までの処理と同様である。
【００３９】
＜第４の実施形態＞
次に、本発明の第４の実施形態について説明する。本実施形態では、画像の撮像を行う撮像装置自体が、テキスト配信サーバ１０の機能を備える例を説明する。図１０は、このような画像共有システム４の構成を示すブロック図である。画像共有システム４は、ユーザ端末２０と、撮像装置３０と、画像解析装置３４０とを備えている。第１の実施形態と同名の装置については、第１の実施形態と同様である。
【００４０】
画像解析装置３４０は、入力部３４１と、コメント生成部３４２と、画像記憶部３４３と、画像登録部３４４と、画像配信部３４５と、出力部３４６と、アドレス記憶部３４７と、検出部３４８と、制御部３４９と、テキスト配信部３５０とを備えている。第１の実施形態と同名の機能部については、第１の実施形態と同様である。テキスト配信部３５０は、テキスト配信サーバ１０と同様の機能を備えており、定められたユーザ端末２０にテキストを配信するＳＮＳサイトを提供する。画像記憶部３４３は、入力部３４１に入力された画像を記憶する。制御部３４９は、予め定められたユーザ端末２０に、コメント生成部３４２が生成したコメント及びアドレス記憶部３４７に記憶されたアドレスを出力するように出力部３４６を制御する。
【００４１】
図１１は、本実施形態の画像共有システム４の動作例を示す図である。
ステップＳ５０からステップＳ５３までの処理は、ステップＳ１からステップＳ４までの処理と同様である。画像解析装置１４０の出力部１４６は、コメント生成部１４２によって生成されたコメントと、画像共有サーバ５０に記憶された画像の取得するためのＵＲＬとが含まれるテキストを生成し、生成したテキストをテキスト配信部３５０に入力する（ステップＳ５４）。
【００４２】
テキスト配信部３５０は、出力部３４６から出力されたテキストを受信すると、受信したテキストを、ユーザＡに対応付けて自身の記憶領域に記憶させる。テキスト配信部３５０は、撮像装置３０のユーザＡに対応付けられたユーザＢのユーザ端末２０−１から、テキスト配信要求を受信すると、ユーザＡに対応付けられたテキストをユーザ端末２０−１に配信する（ステップＳ５５）。以下、ステップＳ５６とステップＳ５７との処理は、ステップＳ８とステップＳ９との処理と同様である。
【００４３】
なお、本発明における処理部の機能を実現するためのプログラムをコンピュータ読み取り可能な記録媒体に記録して、この記録媒体に記録されたプログラムをコンピュータシステムに読み込ませ、実行することにより情報共有を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４５】
４０…画像解析装置、４１…入力部、４２…コメント生成部、４３…画像記憶部、４６…出力部、４７…アドレス記憶部、４８…検出部、４９…制御部、２５０…撮像部、３５０…テキスト配信部
【図１】
2013164650.tif 000003
【図２】
2013164650.tif 000004
【図３】
2013164650.tif 000005
【図４】
2013164650.tif 000006
【図５】
2013164650.tif 000007
【図６】
2013164650.tif 000008
【図７】
2013164650.tif 000009
【図８】
2013164650.tif 000010
【図９】
2013164650.tif 000011
【図１０】
2013164650.tif 000012
【図１１】
2013164650.tif 000013